(57)【要約】【課題】貯湯タンク内の湯水を非常時に活用し易い貯湯式給湯機を得ること。【解決手段】制御装置９０により動作制御される熱源機（ヒートポンプユニット１０）で水を湯に沸上げて貯湯タンク２０に貯え、貯湯タンクに貯えられた湯を給湯管路５０により所定の給湯先に供給する貯湯式給湯機１２０を構成するにあたり、貯湯タンクに湯水が貯えられていることを報知することができる第１報知部（リモートコントローラ１１０）と、貯湯タンクに接続された取水栓６５と、取水栓の近傍に配置されて取水栓への注意を喚起することができる第２報知部７０と、地震を感知する地震感知部７５と、地震感知部が地震を感知したときに、貯湯タンク内に湯水が貯えられていることを報知する報知動作を第１報知部に開始させると共に、取水栓への注意を喚起するための報知動作を第２報知部に開始させる報知動作制御部とを設ける。【選択図】        図１
2010190546.tif 000002
【特許請求の範囲】
【請求項１】
制御装置により動作制御される熱源機で水を湯に沸上げて貯湯タンクに貯え、該貯湯タンクに貯えた湯を給湯管路により所定の給湯先に供給する貯湯式給湯機であって、
前記貯湯タンクに湯水が貯えられていることを報知することができる第１報知部と、
前記貯湯タンクに取り付けられた取水栓と、
該取水栓の近傍に配置されて該取水栓への注意を喚起することができる第２報知部と、
地震を感知する地震感知部と、
該地震感知部が地震を感知したときに、前記貯湯タンク内に湯水が貯えられていることを報知する報知動作を前記第１報知部に開始させると共に、前記取水栓への注意を喚起するための報知動作を前記第２報知部に開始させる報知動作制御部と、
を有することを特徴とする貯湯式給湯機。
【請求項２】
前記制御装置の入出力装置として機能すると共に前記第１報知部としても機能するリモートコントローラを更に有し、
該リモートコントローラは、前記貯湯タンク内に湯水が貯えられていることを視覚表示および音の少なくとも一方で報知する、
ことを特徴とする請求項１に記載の貯湯式給湯機。
【請求項３】
前記第２報知部は表示灯であることを特徴とする請求項１または２に記載の貯湯式給湯機。
【請求項４】
非常用電源を更に有し、
前記制御装置は、停電が起きたときに自己の電源および前記第２報知部の電源を前記非常用電源に切り替える電源管理部を有する、
ことを特徴とする請求項１〜３のいずれか１つに記載の貯湯式給湯機。
【請求項５】
前記給湯管路に設けられた水流検出装置を更に有し、
前記報知動作制御部は、前記第１報知部および前記第２報知部の各々に報知動作を開始させた後に前記水流検出装置の検出結果から給湯先への給湯が行われていると判断されたときに、前記第１報知部および前記第２報知部の各々での報知動作を終了させる、
ことを特徴とする請求項１〜４のいずれか１つに記載の貯湯式給湯機。
【発明の詳細な説明】
【技術分野】
【０００１】
本発明は、熱源機で沸き上げた湯を貯湯タンクに貯留し、該貯湯タンクに貯留した湯を給湯管路により所望の給湯先に供給する貯湯式給湯機に関する。
【背景技術】
【０００２】
災害発生時には、懐中電灯、ラジオ、非常食等の防災用品を携行して避難することが望ましく、一般家庭や公共施設等では防災用品を予め準備している所も多い。ただし、防災用品を予め準備しておいても、その保管場所が災害発生時に判らなければ、防災用品を携行して避難することができなくなる。災害発生時に防災用品や防災設備の所在位置を判り易くするために、例えば特許文献１に記載された災害警報装置では、災害感知手段が災害を感知すると報知手段が非常用の設備や備品の所在位置を光学的にまたは音声メッセージで教示する。
【０００３】
また、災害等により断水が生じたときには、天然の水源がなく水道に頼っている地域では特に、生活用水の確保が困難となる。そのため、貯湯式給湯機の貯湯タンクに貯えられている湯水を生活用水に充てる工夫もなされている。例えば特許文献２には、地震の発生を感知したときに湯の沸上げ温度を自動的に調整して、生活用水として使い易い低温の湯を沸き上げる貯湯式給湯機（給湯システム）が記載されている。
【先行技術文献】
【特許文献】
【０００４】
【特許文献１】特開２００３-３０８５８５号公報
【特許文献２】特開２００７-２５５７５３号公報
【発明の概要】
【発明が解決しようとする課題】
【０００５】
貯湯式給湯機は、貯湯タンク内の湯水を非常時等に取り出すことができるように当該貯湯タンクに取水栓が設けられてはいるものの、非常用設備としての認知度が低い。このため、貯湯タンクの所在位置を例えば特許文献１に記載された災害警報装置により光学的にまたは音声メッセージで教示しても、生活用水に利用可能な湯水が貯湯タンク内にあることを被災者や救援者が認知できないことがある。特許文献２に記載された貯湯式給湯機についても同様である。また、生活用水に利用可能な湯水が貯湯タンク内にあることを認知できても、貯湯タンク内の湯水の取り出し方が判らない、すなわち取水栓を認知できないことがある。
【０００６】
本発明は上記の事情に鑑みてなされたものであり、貯湯タンク内の湯水を非常時に活用し易い貯湯式給湯機を得ることを目的とする。
【課題を解決するための手段】
【０００７】
本発明の貯湯式給湯機は、制御装置により動作制御される熱源機で水を湯に沸上げて貯湯タンクに貯え、貯湯タンクに貯えられた湯を給湯管路により所定の給湯先に供給する貯湯式給湯機であって、貯湯タンク内に湯水が貯えられていることを報知することができる第１報知部と、貯湯タンクに取り付けられた取水栓と、取水栓の近傍に配置されて取水栓への注意を喚起することができる第２報知部と、地震を感知する地震感知部と、地震感知部が地震を感知したときに、貯湯タンク内に湯水が貯えられていることを報知する報知動作を第１報知部に開始させると共に、取水栓への注意を喚起するための報知動作を第２報知部に開始させる報知動作制御部とを有することを特徴とする。
【発明の効果】
【０００８】
本発明の貯湯式給湯機では、地震感知部が地震を感知したときに、貯湯タンク内に湯水が貯えられていることを第１報知部が報知するので、被災者や救援者は、地震により断水が生じても貯湯タンク内の湯水を生活用水に充てようと思い付き易い。また、第２報知部が取水栓への注意を喚起するので、取水栓の存在に気付き易い。したがって、本発明によれば、貯湯タンク内の湯水を非常時に活用し易い貯湯式給湯機が提供される。
【図面の簡単な説明】
【０００９】
【図１】図１は、本発明の貯湯式給湯機の一例を示す概略図である。
【図２】図２は、図１に示した貯湯式給湯機でのタンクユニットを概略的に示す正面図である。
【図３】図３は、図１に示した貯湯式給湯機での地震発生時の報知動作に係る動作手順の一例を示すフローチャートである。
【図４】図４は、図１に示した貯湯式給湯機での制御装置の構成と該制御装置に接続された構成要素とを概略的に示すブロック図である。
【図５】図５は、図１に示した貯湯式給湯機でのリモートコントローラを概略的に示す機能ブロック図である。
【図６】図６は、図１に示した貯湯式給湯機でのリモートコントローラが行う報知動作の一例を示す概略図である。
【発明を実施するための形態】
【００１０】
以下、本発明の貯湯式給湯機の実施の形態について、図面を参照して詳細に説明する。なお、本発明は下記の実施の形態に限定されるものではない。
【００１１】
図１は、本発明の貯湯式給湯機の一例を示す概略図であり、図２は、図１に示した貯湯式給湯機でのタンクユニットを概略的に示す正面図である。図１に示す貯湯式給湯機１２０は、ヒートポンプユニット１０と、タンクユニット１００と、リモートコントローラ１１０を備え、ヒートポンプユニット１０で沸き上げた湯をタンクユニット１００内の貯湯タンク２０に貯え、該貯湯タンク２０に貯えられた湯を給湯管路５０により所定の給湯先に供給する。以下、貯湯式給湯機１２０の各構成要素について説明する。
【００１２】
上記のヒートポンプユニット１０は、冷媒を圧縮する圧縮機と、放熱器に相当する貯湯用熱交換器と、膨張弁と、蒸発器と、これらを環状に接続する循環配管とによって構成された冷凍サイクル部（図示せず）を有し、熱源機として機能する。冷凍サイクル部では、二酸化炭素等の冷媒が圧縮機で圧縮されて高温、高圧となった後に貯湯用熱交換器で放熱し、膨張弁で減圧され、蒸発器で吸熱してガス状態となって圧縮機に吸入される。
【００１３】
一方、タンクユニット１００は、貯湯タンク２０、タンク温度センサ２０ａ、給水管路３０、貯湯用循環管路４０、給湯管路５０、取水管６０、取水栓６５、第２報知部７０、地震感知部７５、非常用電源８０、および制御装置９０等を有している。
【００１４】
上記の貯湯タンク２０は、給水管路３０から供給される水を貯えると共にヒートポンプユニット１０で沸き上げられた湯を貯える。この貯湯タンク２０の下部には給水管路３０、貯湯用循環管路４０の往き管４０ａ、および取水管６０が接続されており、上部には貯湯用循環管路４０の戻り管４０ｂおよび給湯管路５０が接続されている。
【００１５】
タンク温度センサ２０ａは、貯湯タンク２０と給湯管路５０との接続箇所の近傍に取り付けられて、貯湯タンク２０から給湯管路５０に流入する湯の温度を検出する。図示を省略しているが、貯湯タンク２０の周面部には、貯湯タンク２０内の湯水の温度を検出するための複数の沸上げ温度センサが互いに異なる取付け高さをもって取り付けられている。
【００１６】
給水管路３０は、市水等の水を貯湯タンク２０および給湯先に供給する管路であり、減圧弁２５が設けられた第１給水管部３０ａ、および第２給水管部３０ｂを有している。減圧弁２５は、水道等の水源（図示せず）からの水圧を所定値に減じる。第１給水管部３０ａは水源と貯湯タンク２０とを繋ぎ、第２給水管部３０ｂは、減圧弁２５の上流側で第１給水管部３０ａから分岐して該第１給水管部３０ａと給湯先とを繋ぐ。図示の例では、給湯先の例として１つのカラン１５０が示されている。給水管路３０での水の流れ方向を図１中に実線の矢印Ａで示してある。
【００１７】
貯湯用循環管路４０は、貯湯タンク２０の下部からヒートポンプユニット１０中の貯湯用熱交換器（図示せず）を経由して貯湯タンク２０の上部に達する管路であり、貯湯用送水ポンプ３５が設けられた往き管４０ａ、および戻り管４０ｂを有している。往き管４０ａは貯湯タンク２０の下部と上記の貯湯用送水ポンプ３５とを繋ぎ、戻り管４０ｂは上記の貯湯用送水ポンプ３５と貯湯タンク２０の上部とを繋ぐ。ヒートポンプユニット１０および貯湯用送水ポンプ３５を起動させると、貯湯タンク２０下部の水が往き管４０ａに流入し、貯湯用熱交換器で湯に沸き上げられた後に戻り管４０ｂに流入し、該戻り管４０ｂを通って貯湯タンク２０の上部に戻される。貯湯用循環管路４０での湯水の流れ方向を図１中に実線の矢印Ｂで示してある。
【００１８】
給湯管路５０は、貯湯タンク２０に貯えられた湯を給湯先のカラン１５０に供給する。この給湯管路５０には、例えば流量センサやフロースイッチを用いて構成されて当該給湯管路５０での水流の有無を検出する水流検出部４５が設けられている。
【００１９】
取水管６０は、その一端が貯湯タンク２０の底部に接続されており、該取水管６０での他端側に取水栓６５が取り付けられている。取水栓６５を手動で開弁させることにより、貯湯タンク２０内の湯水を取り出すことができる。
【００２０】
第２報知部７０は、例えば表示灯により構成されて、取水栓６５の近傍に配置される。地震感知部７５は、地震動（Ｐ波またはＳ波）を感知する。この地震感知部７５は、予め設定された加速度以上の地震動を感知したときに所定の信号を制御装置９０に送る。
【００２１】
非常用電源８０は、例えば一次電池や二次電池を用いて構成されて、商用電源（図示せず）が停電したときに制御装置９０に電力を供給する。当該非常用電源８０から制御装置９０に供給された電力は、該制御装置９０から第２報知部７０およびリモートコントローラ１１０にも供給される。
【００２２】
制御装置９０は、例えば電力線によりリモートコントローラ１１０に有線接続されて、該リモートコントローラ１１０と通信する。そして、リモートコントローラ１１０からユーザが入力した沸上げ開始指令や、リモートコントローラ１１０からユーザが入力した沸上げ開始時刻、沸上げ温度、沸上げ湯量等の運転条件に係る情報や、タンク温度センサ２０ａ、各沸上げ温度センサ（図示せず）、水流検出部４５、地震感知部７５等の検出結果等に基づいて、後述する沸上げ運転および報知動作を制御する。この制御装置９０は、通常は商用電源から電力の供給を受けて動作し、商用電源が停電したときには非常用電源８０から電力の供給を受けて動作する。
【００２３】
タンクユニット１００を構成する上述の構成要素のうち、給水管路３０、貯湯用循環管路４０、給湯管路５０、取水栓６５、および第２報知部７０をそれぞれ除いた残りの構成要素は、外装ケース９５内に納められている。給水管路３０、貯湯用循環管路４０、および給湯管路５０の各々は、その一部が外装ケース９５の外部にまで延在している。また、図２に示すように、取水栓６５は外装ケース９５の外側から取水管６０（図１参照）に取り付けられており、第２報知部７０は該第２報知部７０が露出するようにして外装ケース９５に取り付けられている。
【００２４】
リモートコントローラ１１０（図１参照）は、指令や情報を入力するための複数の入力スイッチを有する操作部１０１、および液晶表示パネル等のフラットディスプレイパネルを用いて構成されて操作部１０１から入力された指令や情報を文字、図形、キャラクタ等の視覚情報にして表示する表示部１０３を備えている。
【００２５】
このリモートコントローラ１１０は、例えば浴室や台所等に設置されて、操作部１０１から入力された上記の指令や情報を例えば電力線通信により制御装置９０に送る。また、制御装置９０から運転状況等の情報や報知動作に係る指令を受信して、表示部１０３により当該情報または指令に応じた視覚表示を行う。リモートコントローラ１１０は、後述の報知動作を行う第１報知部として機能する。
【００２６】
上述の各構成要素を備えた貯湯式給湯機１２０では、例えばユーザがリモートコントローラ１１０から入力した沸上げ開始時刻になると、あるいはユーザがリモートコントローラ１１０から沸上げ開始指令を入力すると、制御装置９０による制御の下にヒートポンプユニット１０および貯湯用送水ポンプ３５が起動されて沸上げ運転が開始される。この沸上げ運転は、貯湯タンク２０の周面部に設けられている所定の沸上げ温度センサ（図示せず）の検出結果から所定温度の湯が貯湯タンク２０に所定量貯留されたと判断されるまで継続される。この間、貯湯タンク２０の下部から貯湯用循環管路４０に水が流入してヒートポンプユニット１０で湯に沸き上げられ、該湯が貯湯用循環管路４０を通って貯湯タンク２０の上部から該貯湯タンク２０に戻される。
【００２７】
また、ユーザがカラン１５０を開栓すると、貯湯タンク２０内の湯が給湯管路５０を通ってカラン１５０に供給される。カラン１５０での第２給水管部３０ｂ側の弁開度をユーザが適宜調整することにより、出湯温度を調節することができる。
【００２８】
予め設定された加速度以上の地震動を地震感知部７５が感知したときには、地震感知部７５から制御装置９０に所定の信号が送られて、制御装置９０が第１報知部（リモートコントローラ１１０）と第２報知部７０とに報知動作を開始させる。具体的には、リモートコントローラ１１０に報知開始指令を送る一方で、第２報知部７０の動作を制御して該第２報知部７０に例えば表示灯の点灯等の報知動作を開始させる。上記の報知開始指令を受信したリモートコントローラ１１０は、表示部１０３により所定の報知動作、すなわち貯湯タンク２０に湯水が貯えられていることを報知する視覚表示を開始する。
【００２９】
これらリモートコントローラ１１０および第２報知部７０の各々による報知動作は、例えば、当該報知動作が開始された後に水流検出部４５が水流を検出したとき、すなわちカラン１５０への給湯があったときに、制御装置９０による制御の下に終了する。
【００３０】
停電が起きたときには、制御装置９０がその電源を商用電源から非常用電源８０に切り替える。非常用電源８０からの電力は、制御装置９０を介して第２報知部７０およびリモートコントローラ１１０の各々にも供給される。したがって、第２報知部７０およびリモートコントローラ１１０の各々が報知動作を行っているときに停電が起きても、当該報知動作は継続される。
【００３１】
上述した沸上げ運転および報知動作を行う貯湯式給湯機１２０は、地震発生時の報知動作に特徴を有しているので、以下、地震発生時の報知動作に係る動作手順について図３を参照して説明した後、当該報知動作を行う制御装置９０およびリモートコントローラ１１０の構成について図４および図５参照して説明し、さらには地震発生時にリモートコントローラ１１０が行う報知動作について図６を参照して具体的に説明する。
【００３２】
図３は、上述の貯湯式給湯機での地震発生時の報知動作に係る動作手順の一例を示すフローチャートである。同図に示す例で最初に行われるステップＳ１では、地震感知部７５（図１参照）が地震を感知したか否かを制御装置９０（図１参照）が判断する。具体的には、地震感知部７５から所定の信号が送られてきたか否かを制御装置９０が判断する。このステップＳ１で地震を感知していないと判断されたときには当該ステップＳ１を繰り返し、地震を感知したと判断されたときにはステップＳ２に進む。
【００３３】
ステップＳ２では、第１報知部であるリモートコントローラ１１０（図１参照）に制御装置９０が報知開始指令を送信し、該報知開始指令を受信したリモートコントローラ１１０が報知動作を開始する。次いで行われるステップＳ３では、制御装置９０が第２報知部７０（図１参照）に報知動作を開始させる。
【００３４】
この後、水流検出部４５（図１参照）が水流を検出したか否かを制御装置９０が判断するステップＳ４に進む。このステップＳ４で水流を検出していないと判断されたときには該ステップＳ４を繰り返し、水流を検出したと判断されたときにはステップＳ５に進んで、制御装置９０がリモートコントローラ１１０および第２報知部７０それぞれでの報知動作を終了させる。リモートコントローラ１１０での報知動作は、制御装置９０がリモートコントローラ１１０に報知終了指令を送信し、該報知終了指令を受信したリモートコントローラ１１０が所定の処理を行うことで終了する。
【００３５】
図４は、図１に示した貯湯式給湯機での制御装置の構成と該制御装置に接続された構成要素とを概略的に示すブロック図である。同図に示すように、貯湯式給湯機１２０（図１参照）での制御装置９０は、送受信処理部８１、制御部８３、および記憶部８５を有しており、制御部８３は、沸上げ制御部８３ａ、報知動作制御部８３ｂ、および電源制御部８３ｃを含んでいる。なお、図３に示した構成要素のうちで図１を参照して既に説明した構成要素については、図１で用いた参照符号と同じ参照符号を付してその説明を省略する。
【００３６】
上記の送受信処理部８１は、ヒートポンプユニット１０（図１参照）への指令の送信に係る処理、リモートコントローラ１１０（図１参照）からの指令や情報の受信および振り分けに係る処理、ならびにリモートコントローラ１１０への情報（例えば運転状況等）や指令の送信に係る処理を行う。
【００３７】
また、制御部８３を構成する沸上げ制御部８３ａは、ユーザがリモートコントローラ１１０から入力して送受信処理部８１により振り分けられてきた沸上げ開始時刻、沸上げ温度、および沸上げ湯量に係る各情報を記憶部８５に格納する。また、これらの情報、あるいはユーザがリモートコントローラ１１０から入力して送受信処理部８１により振り分けられてきた沸上げ開始指令と、前述した沸上げ温度センサの検出結果の情報とに基づいて沸上げ運転を制御する。
【００３８】
報知動作制御８３ｂは、予め設定された加速度以上の地震動を地震感知部７５が感知して該地震感知部７５が所定の信号を送ってきたときに、送受信処理部８１の動作を制御して第１報知部であるリモートコントローラ１１０宛に報知動作の開始を指示する報知開始指令を送信させると共に、第２報知部７０の動作を制御して該第２報知部７０に報知動作を開始させる。また、リモートコントローラ１１０および第２報知部７０の各々に報知動作を開始させた後に水流検出部４５により給湯管路５０（図１参照）での水流が検出されると、すなわちカラン１５０への給湯が行われると、送受信処理部８１の動作を制御してリモートコントローラ１１０宛に報知動作の終了を指示する報知終了指令を送信させると共に、第２報知部７０の動作を制御して該第２報知部７０での報知動作を終了させる。
【００３９】
電源制御部８３ｃは、商用電源が停電したときに、当該商用電源から非常用電源８０（図１参照）への切替え動作を制御すると共に、商用電源が停電から復旧したときに非常用電源８０から商用電源への切替え動作を制御する。
【００４０】
図５は、図１に示した貯湯式給湯機でのリモートコントローラを概略的に示す機能ブロック図である。同図に示すよう、貯湯式給湯機１２０（図１参照）でのリモートコントローラ１１０は、前述した操作部１０１および表示部１０３の他に、送受信処理部１０５、リモート側制御部１０７、および記憶部１０９を有している。
【００４１】
上記の送受信処理部１０５は、制御装置９０（図１または図４参照）への指令や情報の送信に係る処理、制御装置９０から送られてくる運転状況等の情報や指令の受信および振り分けに係る処理を行う。
【００４２】
リモート側制御部１０７は、操作部１０１からの入力内容や送受信処理部１０５の受信内容等に応じて、表示部１０３および送受信処理部１０５の動作を制御する。そのために、当該リモート側制御部１０７は、入力処理部１０７ａ、および表示制御部１０７ｂを有している。
【００４３】
上記の入力処理部１０７ａは、操作部１０１から入力された指令や情報のうち、制御装置９０（図１または図４参照）への指令や情報に係るものは送受信処理部１０５に振り分け、表示部１０３の動作に係る指令や情報は表示制御部１０７ｃに振り分ける。また、制御装置９０から送られてくる運転状況等の情報を記憶部１０９に格納する。当該入力処理部１０７ａから指令や情報を振り分けられた送受信処理部１０５は、これらの指令や情報に対応する信号を制御装置９０宛に送信する。
【００４４】
また、入力処理部１０７ａから指令や情報を振り分けられた表示制御部１０７ｂは、これらの指令や情報に対応する文字、図形、キャラクタ等の視覚表示を表示部１０３に行わせたり、視覚表示を終了したりする。この表示制御部１０７ｂは、リモートコントローラ１１０が制御装置９０から受信した指令や情報を送受信処理部１０５が振り分けてきたときにも、当該指令や情報に対応する文字、図形、キャラクタ等の視覚表示を表示部１０３に行わせたり、視覚表示を終了したりする。
【００４５】
図６は、図１に示した貯湯式給湯機でのリモートコントローラが行う報知動作の一例を示す概略図である。同図に示す構成要素のうちで図１または図５を参照して既に説明した構成要素については、図１または図５で用いた参照符号と同じ参照符号を付してその説明を省略する。なお、図６中の参照符号１０１ａ〜１０１ｃの各々は、操作部１０１を構成する入力ボタンを示している。
【００４６】
図６に示す報知動作は、予め設定された加速度以上の地震動を地震感知部７５が感知したときに制御装置９０（図１参照）から送られてくる報知開始指令に応じて行われるものであり、貯湯タンク２０（図１参照）内に湯水が貯えられていることを知らせるメッセージＭ1、具体的には「タンクの中にお湯があります」というメッセージを表示部１０３に表示させる。
【００４７】
また、上記のメッセージＭ1と共に、貯湯タンク２０内の湯水を取り出すときに火傷をしないよう注意を喚起するメッセージＭ2、具体的は「やけど注意」というメッセージと、貯湯タンク２０内の湯の温度情報Ｔ、具体的は「８０℃」という温度情報も表示部１０３に表示させる。なお、メッセージＭ1およびメッセージＭ2のデータは、貯湯式給湯機１２０のメーカにより予め記憶部１０９（図５参照）に格納される。表示制御部１０７ｂは、当該データに基づいてメッセージＭ1およびメッセージＭ2を表示部１０３に表示させる。また、貯湯タンク２０内の湯の温度情報Ｔは、制御装置９０から送られてくるタンク温度センサ２０ａ（図１参照）の検出結果に係る情報に基づいて表示される。
【００４８】
上述のように構成された制御装置９０およびリモートコントローラ１１０を有する貯湯式給湯機１２０（図１参照）では、地震発生時に第１報知部であるリモートコントローラ１１０が上述のような報知動作を行うので、たとえ地震により断水が生じたときでも、被災者や救援者は貯湯タンク２０内の湯水を生活用水に活用しようと思い付き易い。また、既に説明したように、リモートコントローラ１１０が上述のような報知動作を行うときには、制御部９０による制御の下に第２報知部７０（図１参照）も報知動作を行うので、被災者や救援者が貯湯タンク２０内の湯水を取り出そうとして貯湯タンク２０に近づけば、第２報知部７０の報知動作により取水栓６５（図１または図２参照）への注意が喚起されて当該取水栓６５の存在に気付き易い。
【００４９】
しかも、非常用電源８０を備えているので、地震により停電が起きたときでもリモートコントローラ１１０および第２報知部７０それぞれの報知動作が継続される。したがって、貯湯式給湯機１２０では、貯湯タンク２０内の湯水を非常時に活用し易い。
【００５０】
以上、本発明の貯湯式給湯機について実施の形態を挙げて説明したが、前述のように、本発明は上記の形態に限定されるものではない。例えば、実施の形態で説明した貯湯式給湯機は、リモートコントローラが第１報知部としても機能するものであるが、第１報知部はリモートコントローラとは別個に設けることもできる。この場合の第１報知部は、タンクユニット中の制御装置に有線接続または無線接続され、当該制御装置から報知開始指令や報知終了指令を受けて動作する。
【００５１】
また、第１報知部が行う報知動作は、音による報知動作であってもよい。例えば、「地震がありました。給湯機の貯湯タンクの中に使用できるお湯があります。」等といった内容の音声メッセージにより報知を行ってもよい。勿論、視覚表示による報知動作と音による報知動作とを併用してもよい。第２報知部が行う報知動作についても同様であり、光、音、および視覚表示による報知動作の少なくとも１つを適宜選定することができる。
【００５２】
第１報知部および第２報知部それぞれの報知動作は、どちらが先に行われてもよいし、同時に開始されてもよい。また、第１報知部および第２報知部それぞれの報知動作は、例えばリモートコントローラから報知動作の終了を指示する指令を入力することで終了させてもよい。この場合には、例えばリモートコントローラの操作部に報知動作終了用の入力スイッチが設けられる。
【００５３】
地震発生時の報知動作に係る構成以外の構成は、貯湯式給湯機の用途やグレード等に応じて適宜変更可能である。本発明については、上述した以外にも種々の変形、修飾、組み合わせ等が可能である。
【産業上の利用可能性】
【００５４】
本発明の貯湯式給湯機は、家庭用または業務用の給湯機として好適に用いることができる。
【符号の説明】
【００５５】
１０  ヒートポンプユニット
２０  貯湯タンク
３０  給水管路
４０  貯湯用循環管路
４５  水流検出部
５０  給湯管路
６０  取水管
６５  取水栓
７０  第２報知部
７５  地震感知部
８０  非常用電源
８３ｂ  報知動作制御部
９０  制御装置
１００  タンクユニット
１０１  操作部
１０３  表示部
１１０  リモートコントローラ
１２０  貯湯式給湯機
【図１】
2010190546.tif 000003
【図２】
2010190546.tif 000004
【図３】
2010190546.tif 000005
【図４】
2010190546.tif 000006
【図５】
2010190546.tif 000007
【図６】
2010190546.tif 000008